(57)【要約】【課題】材料費および組付工数を抑えることができ、ブラケットに電線を確実に把持させることができる電線保護バンドおよびワイヤハーネスを提供する。【解決手段】電線群を締め付け状態に一巻きする長さＬを有するバンド本体部１２と、一方の面がバンド本体部１２の外面部と同一の平面となるようにバンド本体部１２の巻き方向一端部から端部外方へ延出し、かつバンド本体部１２の半分の厚さｔを有するロック片部１３と、バンド本体部１２の巻き方向他端部の外面部に形成され、ロック片部１３を嵌合状態に受け入れるロック用凹部１４と、を備えた構成としている。【選択図】図１
2017060212.tif 000002
【特許請求の範囲】
【請求項１】
伸縮性を有し、電線群を締め付け状態に一巻きする長さを有するバンド本体部と、
一方の面が前記バンド本体部の外面部と同一の平面となるように前記バンド本体部の巻き方向一端部から端部外方へ延出し、かつ前記バンド本体部の半分の厚さを有するロック片部と、
前記バンド本体部の巻き方向他端部の外面部に形成され、前記ロック片部を嵌合状態に受け入れるロック用凹部と、備えたことを特徴とする電線保護バンド。
【請求項２】
一方の面が前記バンド本体部の外面部と同一の平面となるように前記バンド本体部の巻き方向他端部から端部外方へ所定長さ延出する第１の延長部と、
前記第１の延長部より更に延出し、かつ前記バンド本体部の半分の厚さを有する第２の延長部と、を備え、
前記第１の延長部には、前記ロック片部が前記電線群側から反対側に通される開口部を有し、
前記バンド本体部の巻き方向一端部には、前記バンド本体部を前記電線群に一巻きしたときに前記第２の延長部と重なり合う薄肉部および前記開口部に嵌合状態に収まる厚肉部を有することを特徴とする請求項１に記載の電線保護バンド。
【請求項３】
電線群と、請求項１に記載の電線保護バンドと、かしめ変形可能なブラケットと、を備え、
前記バンド本体部が前記電線群に一巻きされ、前記ロック片部が前記ロック用凹部に嵌着され、前記ブラケットの張出側部分が前記電線保護バンドを一巻きした状態に支持していることを特徴とするワイヤハーネス。
【請求項４】
電線群と、請求項２に記載の電線保護バンドと、かしめ変形可能なブラケットと、を備え、
前記バンド本体プが前記電線群に一巻きされ、前記ロック片部が前記開口部に通され、かつ前記ロック用凹部に嵌着され、前記ブラケットの張出側部分が前記電線保護バンドを一巻きした状態に支持していることを特徴とするワイヤハーネス。
【発明の詳細な説明】
【技術分野】
【０００１】
本発明は、電線保護バンドおよびワイヤハーネスに関する。
【背景技術】
【０００２】
従来、電線群を自動車の車体パネルに配索する場合には、図１２に示すように、例えば、エラストマーで形成された筒状の電線保護バンド１０１に電線群Ｗを通して、電線群Ｗの所定個所に電線保護バンド１０１を外嵌させたうえ、電線保護バンド１０１の内面部と電線群Ｗの外面部との間に空隙Ｓに接着剤を注入させて電線群Ｗに電線保護バンド１０１を固定させている。
【０００３】
さらに、かしめ変形可能なブラケット１０２の張出側端部を電線保護バンド１０１に一巻きさせた状態にして、ブラケット１０２に電線Ｗを把持させることにより、ワイヤハーネス１００を構成させ、ブラケット１０２の基端部を車体パネルにボルト締結させている。
【０００４】
また、図１３に示すように、電線結束用の伸縮バンド１０３の一端部に、凹状の切欠き部１０４ａを両側に形成した略Ｈ字形の引掛け板１０４がモールド成形され、伸縮バンド１０３の他端部に、引掛け板１０４の切欠き部１０４ａに引っ掛かるフック部１０５ａを有するフック板１０５がモールド成形された電線結束具１０６が知られている（例えば、特許文献１参照）。
【先行技術文献】
【特許文献】
【０００５】
【特許文献１】特開平１１−１２７５２９号公報
【発明の概要】
【発明が解決しようとする課題】
【０００６】
しかしながら、上述した電線保護バンド１０１は、電線群Ｗに電線保護バンド１０１を固定するのに、接着剤を電線保護バンド１０１と電線群Ｗとの間に注入させているため、材料費が高くなり、組付工数が多くなるという問題があった。
【０００７】
また、上述した電線結束具１０６を電線保護バンドとして適用すると、引掛け板１０４とフック板１０５とを係合させたときに、引掛け板１０４およびフック板１０５が面一にならないため、ブラケットの張出側端部を電線結束具１０６に一巻きさせた状態にかしめ変形させたときに、電線結束具１０６とブラケットとが互いに密着する面積が不足して、ブラケットに電線群を確実Ｗに把持させることができないという問題があった。
【０００８】
本発明は、上述のような課題を解決するためになされたもので、電線群にバンド本体部を固定するための材料費および組付工数を抑えることができ、ブラケットに電線群を確実に把持させることができる電線保護バンドおよびワイヤハーネスを提供することを目的としている。
【課題を解決するための手段】
【０００９】
本発明に係る電線保護バンドは、上記目的達成のため、伸縮性を有し、電線群を締め付け状態に一巻きする長さを有するバンド本体部と、一方の面が前記バンド本体部の外面部と同一の平面となるように前記バンド本体部の巻き方向一端部から端部外方へ延出し、かつ前記バンド本体部の半分の厚さを有するロック片部と、前記バンド本体部の巻き方向他端部の外面部に形成され、前記ロック片部を嵌合状態に受け入れるロック用凹部と、備えた構成である。
【００１０】
上記構成により、本発明に係る電線保護バンドは、バンド本体部が電線群に一巻きされた状態でロック片部がロック用凹部に嵌合されると、バンド本体部が電線群の外面部に密着して固定されるとともに、ロック片部がロック用凹部に受け入れられる。
【００１１】
このため、本発明に係る電線保護バンドは、電線群にバンド本体部を固定するための材料費および組付工数を抑えることができ、ブラケットに電線群を確実に把持させることができる。
【００１２】
また、本発明に係る電線保護バンドは、一方の面が前記バンド本体部の外面部と同一の平面となるように前記バンド本体部の巻き方向他端部から端部外方へ所定長さ延出する第１の延長部と、前記第１の延長部より更に延出し、かつ前記バンド本体部の半分の厚さを有する第２の延長部と、を備え、前記第１の延長部には、前記ロック片部が前記電線群側から反対側に通される開口部を有し、前記バンド本体部の巻き方向一端部には、前記バンド本体部を前記電線群に一巻きしたときに前記第２の延長部と重なり合う薄肉部および前記開口部に嵌合状態に収まる厚肉部を有する構成とすることが好ましい。
【００１３】
上記構成により、本発明に係る電線保護バンドは、ロック片部が第１の延長部の開口部に通されると、厚肉部が開口部に嵌合状態に収まって、ロック片部がロック用凹部から外れ難くなる。
【００１４】
本発明に係るワイヤハーネスは、上記目的達成のため、電線群と、前述した電線保護バンドと、かしめ変形可能なブラケットと、を備え、前記バンド本体部が前記電線群に一巻きされ、前記ロック片部が前記ロック用凹部に嵌着され、前記ブラケットの張出側部分が前記電線保護バンドを一巻きした状態に支持している構成とする。
【００１５】
上記構成により、本発明に係るワイヤハーネスは、バンド本体部が電線群に一巻きされた状態でロック片部がロック用凹部に嵌合されると、バンド本体部が電線群の外面部に密着して固定されるとともに、ロック片部がロック用凹部に受け入れられる。
【００１６】
このため、本発明に係るワイヤハーネスは、電線群にバンド本体部を固定するための材料費および組付工数を抑えることができ、ブラケットに電線群を確実に把持させることができる。
【００１７】
また、本発明に係るワイヤハーネスは、電線群と、前述した電線保護バンドと、かしめ変形可能なブラケットと、を備え、前記バンド本体部が前記電線群に一巻きされ、前記ロック片部が前記開口部に通され、かつ前記ロック用凹部に嵌着され、前記ブラケットの張出側部分が前記電線保護バンドを一巻きした状態に支持している構成とすることが好ましい。
【００１８】
上記構成により、本発明に係るワイヤハーネスは、ロック片部が第１の延長部の開口部に通されると、厚肉部が開口部に嵌合状態に収まって、ロック片部がロック用凹部から外れ難くなる。
【発明の効果】
【００１９】
本発明によれば、電線にバンド本体部を固定するための材料費および組付工数を抑えることができ、ブラケットに電線を確実に把持させることができる電線保護バンドおよびワイヤハーネスを提供することができる。
【図面の簡単な説明】
【００２０】
【図１】本発明の第１の実施の形態に係る電線保護バンドの斜視図である。
【図２】本発明の第１の実施の形態に係る電線保護バンドの平面図（ａ）および側面図（ｂ）である。
【図３】本発明の第１の実施の形態に係る電線保護バンドを用いたワイヤハーネスの部分斜視図である。
【図４】本発明の第２の実施の形態に係る電線保護バンドの斜視図である。
【図５】本発明の第２の実施の形態に係る電線保護バンドの平面図（ａ）および側面図（ｂ）である。
【図６】本発明の第２の実施の形態に係る電線保護バンドを丸めた状態を示す斜視図である。
【図７】本発明の第２の実施の形態に係る電線保護バンドを電線に装着した状態を示す斜視図である。
【図８】本発明の第３の実施の形態に係る電線保護バンドの斜視図である。
【図９】本発明の第３の実施の形態に係る電線保護バンドの平面図（ａ）および側面図（ｂ）である。
【図１０】本発明の第４の実施の形態に係る電線保護バンドの斜視図である。
【図１１】本発明の第４の実施の形態に係る電線保護バンドの平面図（ａ）および側面図（ｂ）である。
【図１２】従来の電線保護バンドを電線に装着した状態を示す斜視図である。
【図１３】従来の電線結束具の斜視図である。
【発明を実施するための形態】
【００２１】
以下、本発明の実施の形態に係る電線保護バンドおよびワイヤハーネスについて、図面を参照して説明する。
【００２２】
（第１の実施の形態）
図１〜図３に示すように、本実施の形態に係る電線保護バンド１１は、伸縮性を有し、電線群Ｗを締め付け状態に一巻きする長さＬを有するバンド本体部１２と、一方の面がバンド本体部１２の外面部と同一の平面となるようにバンド本体部１２の巻き方向一端部から端部外方へ延出し、かつバンド本体部１２の半分の厚さｔを有するロック片部１３と、バンド本体部１２の巻き方向他端部の外面部に形成され、ロック片部１３を嵌合状態に受け入れるロック用凹部１４と、備えている。
【００２３】
ここで、電線群Ｗを締め付け状態に一巻きする長さＬとは、電線群Ｗの周長よりも若干短い長さである。また、バンド本体部１２の外面部とは、バンド本体部１２を電線群Ｗに一巻きしたときに、電線群Ｗに相対しない面部を指している。
【００２４】
バンド本体部１２およびロック片部１３は、エラストマーにより一体に形成されている。ロック片部１３とロック用凹部１４とは、バンド本体部１２の巻き方向に突出し、かつ先端部が電線群Ｗの軸方向へ延びる同一なＴ字平面形状を有し、互いに嵌合した状態にあっては、バンド本体部１２の巻き方向へ離脱しないようになっている。ロック用凹部１４は、ロック片部１３の厚さｔに等しい深さｄを有している。
【００２５】
電線保護バンド１１が装着された電線群Ｗは、かしめ変形可能なブラケット１５の張出側端部を電線保護バンド１１に一巻きさせた状態にして、ブラケット１５に電線群Ｗを把持させることにより、ワイヤハーネス１０を構成させている。
【００２６】
本実施の形態に係る電線保護バンド１１およびワイヤハーネス１０においては、バンド本体部１２が電線群Ｗに一巻きされた状態でロック片部１３がロック用凹部１４に嵌合されると、バンド本体部１２が電線群Ｗの外面部に密着して固定されるとともに、ロック片部１３がロック用凹部１４に受け入れられて、バンド本体部１２とロック片部１３とが面一になる。
【００２７】
このため、本実施の形態に係る電線保護バンド１１およびワイヤハーネス１０は、電線群Ｗにバンド本体部１２を固定するために接着剤を用いる必要がなく、材料費および組付工数を抑えることができ、ブラケット１５に電線群Ｗを確実に把持させることができる。
【００２８】
（第２の実施の形態）
図４〜図７に示すように、本実施の形態に係る電線保護バンド２１は、伸縮性を有し、電線群Ｗを締め付け状態に一巻きする長さＬを有するバンド本体部２２と、一方の面がバンド本体部２２の外面部と同一の平面となるようにバンド本体部２２の巻き方向一端部から端部外方へ延出し、かつバンド本体部２２の半分の厚さｔを有するロック片部２３と、バンド本体部２２の巻き方向他端部の外面部に形成され、ロック片部２３を嵌合状態に受け入れるロック用凹部２４と、備えている。
【００２９】
ここで、電線群Ｗを締め付け状態に一巻きする長さＬとは、電線群Ｗの周長よりも若干短い長さである。また、バンド本体部２２の外面部とは、バンド本体部２２を電線群Ｗに一巻きしたときに、電線群Ｗに相対しない面部を指している。
【００３０】
さらに、本実施の形態に係る電線保護バンド２１は、一方の面がバンド本体部２２の外面部と同一の平面となるようにバンド本体部２２の巻き方向他端部から端部外方へ所定長さ延出する第１の延長部２５と、第１の延長部２５より更に延出し、かつバンド本体部２２の半分の厚さｔを有する第２の延長部２６と、を備えている。
【００３１】
バンド本体部２２、ロック片部２３、第１の延長部２５および第２の延長部２６は、エラストマーにより一体に形成されている。ロック片部２３とロック用凹部２４とは、バンド本体部２２の巻き方向に突出し、かつ先端部が電線群Ｗの軸方向へ延びる同一なＴ字平面形状を有し、互いに嵌合した状態にあっては、バンド本体部２２の巻き方向へ離脱しないようになっている。ロック用凹部２４は、ロック片部３３の厚さｔに等しい深さｄを有している。
【００３２】
本実施の形態に係る電線保護バンド２１は、第１の延長部２５に、ロック片部２３が電線群Ｗ側から反対側に通される開口部２７を有している。開口部２７には、先端部分が折り曲げられた状態のロック片部２３が通されるようになっている。
【００３３】
本実施の形態に係る電線保護バンド２１は、バンド本体部２２の巻き方向一端部に、バンド本体部２２を電線群Ｗに一巻きしたときに第２の延長部２６と重なり合う薄肉部２８および開口部２７に嵌合状態に収まる厚肉部２９を有している。
【００３４】
第２の延長部２６のバンド本体部２２の巻き方向に対する長さＡ１は、薄肉部２８のバンド本体部２２の巻き方向に対する長さＡ２と等しくなっている。また、開口部２７のバンド本体部２２の巻き方向に対する長さＢ１は、厚肉部２９のバンド本体部２２の巻き方向に対する長さＢ２と等しくなっている。
【００３５】
電線保護バンド２１が装着された電線群Ｗは、前述したブラケット１５と同様な図示されないブラケットの張出側端部を電線保護バンド２１に一巻きさせた状態にして、ブラケットに電線群Ｗを把持させることにより、ワイヤハーネスを構成させている。
【００３６】
本実施の形態に係る電線保護バンド２１およびワイヤハーネスにおいては、ロック片部２３が第１の延長部２５の開口部２７に通されると、厚肉部２９が開口部２７に嵌合状態に収まり、バンド本体部２２が電線群Ｗに一巻きされた状態でロック片部２３がロック用凹部２４に嵌合されると、バンド本体部２２が電線群Ｗの外面部に密着して固定されるとともに、ロック片部２３がロック用凹部２４に受け入れられて、バンド本体部２２とロック片部２３とが面一になる。
【００３７】
このため、本実施の形態に係る電線保護バンド２１およびワイヤハーネスは、電線群Ｗにバンド本体部２２を固定するために接着剤を用いる必要がなく、ロック片部２３がロック用凹部２４から外れ難くなり、材料費および組付工数を抑えることができ、ブラケットに電線群Ｗを確実に把持させることができる。
【００３８】
（第３の実施の形態）
図８、図９に示すように、本実施の形態に係る電線保護バンド３１は、伸縮性を有し、図７に示す電線群Ｗを締め付け状態に一巻きする長さＬを有するバンド本体部３２と、一方の面がバンド本体部３２の外面部と同一の平面となるようにバンド本体部３２の巻き方向一端部から端部外方へ延出し、かつバンド本体部３２の半分の厚さｔを有するロック片部３３と、バンド本体部３２の巻き方向他端部の外面部に形成され、ロック片部３３を嵌合状態に受け入れるロック用凹部３４と、備えている。
【００３９】
ここで、電線群Ｗを締め付け状態に一巻きする長さＬとは、電線群Ｗの周長よりも若干短い長さである。また、バンド本体部３２の外面部とは、バンド本体部３２を電線群Ｗに一巻きしたときに、電線群Ｗに相対しない面部を指している。
【００４０】
さらに、本実施の形態に係る電線保護バンド３１は、一方の面がバンド本体部３２の外面部と同一の平面となるようにバンド本体部３２の巻き方向他端部から端部外方へ所定長さ延出する第１の延長部３５と、第１の延長部３５より更に延出し、かつバンド本体部３２の半分の厚さｔを有する第２の延長部３６と、を備えている。
【００４１】
バンド本体部３２、ロック片部３３、第１の延長部３５および第２の延長部３６は、エラストマーにより一体に形成されている。ロック片部３３とロック用凹部３４とは、バンド本体部３２の巻き方向に向けて幅寸法が徐々に拡がるように突出する同一な台形平面形状を有し、互いに嵌合した状態にあっては、バンド本体部３２の巻き方向へ離脱しないようになっている。ロック用凹部３４は、ロック片部３３の厚さｔに等しい深さｄを有している。
【００４２】
本実施の形態に係る電線保護バンド３１は、第１の延長部３５に、ロック片部３３が電線群Ｗ側から反対側に通される開口部３７を有している。開口部３７には、先端部分が折り曲げられた状態のロック片部３３が通されるようになっている。
【００４３】
本実施の形態に係る電線保護バンド３１は、バンド本体部３２の巻き方向一端部に、バンド本体部３２を電線群Ｗに一巻きしたときに第２の延長部３６と重なり合う薄肉部３８および開口部３７に嵌合状態に収まる厚肉部３９を有している。
【００４４】
第２の延長部３６のバンド本体部３２の巻き方向に対する長さＡ１は、薄肉部３８のバンド本体部３２の巻き方向に対する長さＡ２と等しくなっている。また、開口部３７のバンド本体部３２の巻き方向に対する長さＢ１は、厚肉部３９のバンド本体部３２の巻き方向に対する長さＢ２と等しくなっている。
【００４５】
電線保護バンド３１が装着された電線群Ｗは、前述したブラケット１５と同様な図示されないブラケットの張出側端部を電線保護バンド３１に一巻きさせた状態にして、ブラケットに電線群Ｗを把持させることにより、ワイヤハーネスを構成させている。
【００４６】
本実施の形態に係る電線保護バンド３１およびワイヤハーネスにおいては、ロック片部３３が第１の延長部３５の開口部３７に通されると、厚肉部３９が開口部３７に嵌合状態に収まり、バンド本体部３２が電線群Ｗに一巻きされた状態でロック片部３３がロック用凹部３４に嵌合されると、バンド本体部３２が電線群Ｗの外面部に密着して固定されるとともに、ロック片部３３がロック用凹部３４に受け入れられて、バンド本体部３２とロック片部３３とが面一になる。
【００４７】
このため、本実施の形態に係る電線保護バンド３１およびワイヤハーネスは、電線群Ｗにバンド本体部３２を固定するために接着剤を用いる必要がなく、ロック片部３３がロック用凹部３４から外れ難くなり、材料費および組付工数を抑えることができ、ブラケットに電線群Ｗを確実に把持させることができる。
【００４８】
（第４の実施の形態）
図１０、図１１に示すように、本実施の形態に係る電線保護バンド４１は、伸縮性を有し、図７に示す電線群Ｗを締め付け状態に一巻きする長さＬを有するバンド本体部４２と、一方の面がバンド本体部４２の外面部と同一の平面となるようにバンド本体部４２の巻き方向一端部から端部外方へ延出し、かつバンド本体部４２の半分の厚さｔを有するロック片部４３と、バンド本体部４２の巻き方向他端部の外面部に形成され、ロック片部４３を嵌合状態に受け入れるロック用凹部４４と、備えている。
【００４９】
ここで、電線群Ｗを締め付け状態に一巻きする長さＬとは、電線群Ｗの周長よりも若干短い長さである。また、バンド本体部４２の外面部とは、バンド本体部４２を電線群Ｗに一巻きしたときに、電線群Ｗに相対しない面部を指している。
【００５０】
さらに、本実施の形態に係る電線保護バンド４１は、一方の面がバンド本体部４２の外面部と同一の平面となるようにバンド本体部４２の巻き方向他端部から端部外方へ所定長さ延出する第１の延長部４５と、第１の延長部４５より更に延出し、かつバンド本体部４２の半分の厚さｔを有する第２の延長部４６と、を備えている。
【００５１】
バンド本体部４２、ロック片部４３、第１の延長部４５および第２の延長部４６は、エラストマーにより一体に形成されている。ロック片部４３とロック用凹部４４とは、バンド本体部４２の巻き方向に向けて幅寸法が徐々に拡がるように突出し、かつ先端部が電線群Ｗの軸方向へ延びる同一なＴ字と台形とを組み合わせた平面形状を有し、互いに嵌合した状態にあっては、バンド本体部４２の巻き方向へ離脱しないようになっている。ロック用凹部４４は、ロック片部４３の厚さｔに等しい深さｄを有している。
【００５２】
本実施の形態に係る電線保護バンド４１は、第１の延長部４５に、ロック片部４３が電線群Ｗ側から反対側に通される開口部４７を有している。開口部４７には、先端部分が折り曲げられた状態のロック片部４３が通されるようになっている。
【００５３】
本実施の形態に係る電線保護バンド４１は、バンド本体部４２の巻き方向一端部に、バンド本体部４２を電線群Ｗに一巻きしたときに第２の延長部４６と重なり合う薄肉部４８および開口部４７に嵌合状態に収まる厚肉部４９を有している。
【００５４】
第２の延長部４６のバンド本体部４２の巻き方向に対する長さＡ１は、薄肉部４８のバンド本体部４２の巻き方向に対する長さＡ２と等しくなっている。また、開口部４７のバンド本体部４２の巻き方向に対する長さＢ１は、厚肉部４９のバンド本体部４２の巻き方向に対する長さＢ２と等しくなっている。
【００５５】
電線保護バンド４１が装着された電線群Ｗは、前述したブラケット１５と同様な図示されないブラケットの張出側端部を電線保護バンド４１に一巻きさせた状態にして、ブラケットに電線群Ｗを把持させることにより、ワイヤハーネスを構成させている。
【００５６】
本実施の形態に係る電線保護バンド４１およびワイヤハーネスにおいては、ロック片部４３が第１の延長部４５の開口部４７に通されると、厚肉部４９が開口部４７に嵌合状態に収まり、バンド本体部４２が電線群Ｗに一巻きされた状態でロック片部４３がロック用凹部４４に嵌合されると、バンド本体部４２が電線群Ｗの外面部に密着して固定されるとともに、ロック片部４３がロック用凹部４４に受け入れられて、バンド本体部４２とロック片部４３とが面一になる。
【００５７】
このため、本実施の形態に係る電線保護バンド４１およびワイヤハーネスは、電線群Ｗにバンド本体部４２を固定するために接着剤を用いる必要がなく、ロック片部４３がロック用凹部４４から外れ難くなり、材料費および組付工数を抑えることができ、ブラケットに電線群Ｗを確実に把持させることができる。
【００５８】
以上説明したように、本発明に係る電線保護バンドおよびワイヤハーネスは、電線にバンド本体部を固定するための材料費および組付工数を抑えることができ、ブラケットに電線を確実に把持させることができるという効果を有し、電線保護バンドおよびワイヤハーネス全般に有用である。
【符号の説明】
【００５９】
１０  ワイヤハーネス
１１，２１，３１，４１  電線保護バンド
１２，２２，３２，４２  バンド本体部
１３，２３，３３，４３  ロック片部
１４，２４，３４，４４  ロック用凹部
１５  ブラケット
２５，３５，４５  第１の延長部
２６，３６，４６  第２の延長部
２７，３７，４７  開口部
２８，３８，４８  薄肉部
２９，３９，４９  厚肉部
Ｌ  長さ
ｔ  厚さ
【図１】
2017060212.tif 000003
【図２】
2017060212.tif 000004
【図３】
2017060212.tif 000005
【図４】
2017060212.tif 000006
【図５】
2017060212.tif 000007
【図６】
2017060212.tif 000008
【図７】
2017060212.tif 000009
【図８】
2017060212.tif 000010
【図９】
2017060212.tif 000011
【図１０】
2017060212.tif 000012
【図１１】
2017060212.tif 000013
【図１２】
2017060212.tif 000014
【図１３】
2017060212.tif 000015